(57)【要約】【課題】打撃性能を向上させたゴルフクラブヘッドを提供すること。【解決手段】本ゴルフクラブヘッドは、打撃面となるフェース面を備えたフェース部、及び底部を形成するソール部を有するゴルフクラブヘッドであって、ヘッド外面に配置される凹部と、前記凹部に配置される外部リブと、を有し、前記外部リブは、トウ−ヒール方向へ伸びる第１リブと、フェース−バック方向へ伸びる第２リブと、第３リブと、を有し、前記第１リブと前記第２リブは、前記第３リブを介して連続している。【選択図】図１
2019084078.tif 000002
【特許請求の範囲】
【請求項１】
打撃面となるフェース面を備えたフェース部、及び底部を形成するソール部を有するゴルフクラブヘッドであって、
ヘッド外面に配置される凹部と、
前記凹部に配置される外部リブと、を有し、
前記外部リブは、
トウ−ヒール方向へ伸びる第１リブと、
フェース−バック方向へ伸びる第２リブと、
第３リブと、を有し、
前記第１リブと前記第２リブは、前記第３リブを介して連続していることを特徴とするゴルフクラブヘッド。
【請求項２】
前記ソール部は、取付部を有し、
前記第３リブは、前記取付部の周囲を少なくとも部分的に囲むことを特徴とする請求項１に記載のゴルフクラブヘッド。
【請求項３】
前記第３リブは、前記取付部と間隔を置くことを特徴とする請求項２に記載のゴルフクラブヘッド。
【請求項４】
前記凹部は、
トウ−ヒール方向へ伸びる第１凹部と、
フェース−バック方向へ伸びる第２凹部と、
第３凹部と、を有し、
前記第１凹部と前記第２凹部は、前記第３凹部を介して連続していることを特徴とする請求項１乃至３の何れか一項に記載のゴルフクラブヘッド。
【請求項５】
打撃面となるフェース面を備えたフェース部、及び底部を形成するソール部を有するゴルフクラブヘッドであって、
取付部材と、
前記取付部材を取付可能な取付部と、
ヘッド外面に配置された外部リブと、を有し、
前記外部リブは、前記取付部の周囲を少なくとも部分的に囲むことを特徴とするゴルフクラブヘッド。
【請求項６】
前記外部リブは、一次振動モードの振動範囲を超えて伸びる部分を有することを特徴とする請求項５に記載のゴルフクラブヘッド。
【請求項７】
前記外部リブは、前記取付部の周囲を少なくとも部分的に囲むリブと、前記部分的に囲むリブから前記取付部とは反対方向に伸びるリブと、を有することを特徴とする請求項５または６に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、例えば、ゴルフクラブヘッドの内面や外面にリブを設けることが提案されている。リブを設ける位置やリブの形状により、ゴルフクラブヘッドの打撃性能が変化する。
【先行技術文献】
【特許文献】
【０００３】
【特許文献１】特開２０１６−２１４３７９号公報
【特許文献２】特開２０１６−１０６８８６号公報
【特許文献３】米国特許公開２０１６／３４６６４７
【特許文献４】米国特許第８４０９０３０号明細書
【特許文献５】米国特許公開２０１６／１５１６８７
【特許文献６】米国特許公開２０１６／０９６０８５
【発明の概要】
【発明が解決しようとする課題】
【０００４】
本発明は、打撃性能を向上させたゴルフクラブヘッドを提供することを目的とする。
【課題を解決するための手段】
【０００５】
本ゴルフクラブヘッドは、打撃面となるフェース面を備えたフェース部、及び底部を形成するソール部を有するゴルフクラブヘッドであって、ヘッド外面に配置される凹部と、前記凹部に配置される外部リブと、を有し、前記外部リブは、トウ−ヒール方向へ伸びる第１リブと、フェース−バック方向へ伸びる第２リブと、第３リブと、を有し、前記第１リブと前記第２リブは、前記第３リブを介して連続していることを要件とする。
【発明の効果】
【０００６】
開示の技術によれば、打撃性能を向上させたゴルフクラブヘッドを提供できる。
【図面の簡単な説明】
【０００７】
【図１】第１の実施の形態に係るゴルフクラブヘッド１を例示する図である。
【図２】凹部４０について説明する図である。
【図３】外部リブ５０について説明する図である。
【図４】凹部４０及び外部リブ５０について説明する図である。
【図５】取付部２０及び取付部材３０について説明する断面図である。
【図６】第１の実施の形態の変形例１に係るゴルフクラブヘッド２を例示する底面図である。
【図７】第１の実施の形態の変形例２に係るゴルフクラブヘッド３を例示する底面図である。
【図８】第１の実施の形態の変形例３に係るゴルフクラブヘッド４を例示する底面図である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、第１の実施の形態に係るゴルフクラブヘッド１を例示する図であり、図１（ａ）は正面図、図１（ｂ）は底面図、図１（ｃ）は左側面図、図１（ｄ）は右側面図である。
【００１０】
図１では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部１５の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン合金、チタン、ステンレス、アルミニウム合金等の金属材料を用いて形成することができる。また、ゴルフクラブヘッド１は、複数の部品を接合して組み立てることができる。以下、ゴルフクラブヘッド１について詳説する。
【００１２】
ゴルフクラブヘッド１は、フェース部１１と、クラウン部１２と、ソール部１３と、サイド部１４と、ホゼル部１５とを有する中空構造体である。なお、中空構造体の内側の面をヘッド内面、外側の面をヘッド外面と称する場合がある。
【００１３】
フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１４】
ソール部１３にはヘッド重量調整用の取付部材３０（ウエイト）を取付可能な取付部２０（ウエイトポート）が配置されている。また、ソール側のヘッド外面には凹部４０が配置され、凹部４０には外部リブ５０が配置されている。ソール側に外部リブ５０を配置することで、ソール部１３の剛性を高くし、打撃性能を向上させることができる。
【００１５】
図２は、凹部４０について説明する図であり、図１（ｂ）から取付部２０、取付部材３０、及び凹部４０のみを抜き出して図示したものである。
【００１６】
図２に示すように、凹部４０は、トウ−ヒール方向へ伸びる第１凹部４１と、フェース−バック方向へ伸びる第２凹部４２と、第１凹部４１と第２凹部４２とを接続する第３凹部４３とを有している。言い換えれば、第１凹部４１と第２凹部４２は、第３凹部４３を介して連続している。
【００１７】
なお、図２では、第１凹部４１、第２凹部４２、及び第３凹部４３の領域を明確にするため、便宜上、第１凹部４１、第２凹部４２、及び第３凹部４３を異なる梨地模様で示している。以下、第１凹部４１、第２凹部４２、及び第３凹部４３について詳説する。
【００１８】
第１凹部４１は、取付部２０のフェース側に沿って配置された部分４１ａと、部分４１ａからトウ側に伸びる部分４１ｂと、部分４１ａからヒール側に伸びる部分４１ｃとを有している。部分４１ｂと部分４１ｃとは、取付部２０に対してトウ−ヒール方向に略対称に伸びている。
【００１９】
第２凹部４２は、取付部２０のバック側端近傍からバック側に伸びている。第２凹部４２は、取付部２０のバック側端近傍からバック側に向かって幅が漸減している。
【００２０】
第３凹部４３は、取付部２０のトウ側に位置する部分４３ａと、取付部２０のヒール側に位置する部分４３ｂとを有している。部分４３ａは、第１凹部４１の部分４１ｂと第２凹部４２とを接続している。部分４３ｂは、第１凹部４１の部分４１ｃと第２凹部４２とを接続している。
【００２１】
図３は、外部リブ５０について説明する図であり、図１（ｂ）から取付部２０、取付部材３０、及び外部リブ５０のみを抜き出して図示したものである。
【００２２】
図３に示すように、外部リブ５０は、トウ−ヒール方向へ伸びる第１リブ５１と、フェース−バック方向へ伸びる第２リブ５２と、第１リブ５１と第２リブ５２とを接続する第３リブ５３とを有している。言い換えれば、第１リブ５１と第２リブ５２は、第３リブ５３を介して連続している。第１リブ５１は、第３リブ５３側から取付部２０とは反対方向に伸びる部分をする。また、第２リブ５２は、第３リブ５３側から取付部２０とは反対方向に伸びる部分を有する。
【００２３】
なお、図３では、第１リブ５１、第２リブ５２、及び第３リブ５３の領域を明確にするため、便宜上、第１リブ５１、第２リブ５２、及び第３リブ５３の上面を異なる梨地模様で示している。後述の図４についても同様である。以下、第１リブ５１、第２リブ５２、及び第３リブ５３について詳説する。
【００２４】
第１リブ５１は、取付部２０のフェース側に沿って配置された部分５１ａと、部分５１ａからトウ側に伸びる部分５１ｂと、部分５１ａからヒール側に伸びる部分５１ｃとを有している。部分５１ｂと部分５１ｃとは、取付部２０に対してトウ−ヒール方向に略対称に伸びている。部分５１ａ、５１ｂ、及び５１ｃは、取付部２０と間隔を置いて配置されており、取付部２０とは接触していない。
【００２５】
第２リブ５２は、取付部２０のバック側端近傍からバック側に伸びている。第２リブ５２は、取付部２０のバック側端近傍からバック側に向かって幅が漸減している。第２リブ５２のフェース側は、取付部２０と間隔を置いて配置されており、取付部２０とは接触していない。
【００２６】
第３リブ５３は、部分５３ａ、５３ｂ、５３ｃ、５３ｄ、５３ｅ、及び５３ｆを有している。
【００２７】
部分５３ａは、取付部２０のバック側の一部に沿って配置され、一端が第２リブ５２の取付部２０側と接続され、他端が部分５３ｂと部分５３ｃの接続点に接続されている。部分５３ｂは、部分５３ａから分岐して取付部２０のトウ側に沿って配置され、第１リブ５１の部分５１ｂ上の一の点に接続されている。部分５３ｃは、部分５３ａから分岐して部分５３ｂと間隔を置いて配置され、第１リブ５１の部分５１ｂ上の他の点に接続されている。部分５３ａ及び５３ｂは、取付部２０と間隔を置いて配置されており、取付部２０とは接触していない。
【００２８】
部分５３ｄは、取付部２０のバック側の一部に沿って配置され、一端が第２リブ５２の取付部２０側と接続され、他端が部分５３ｅと部分５３ｆの接続点に接続されている。部分５３ｅは、部分５３ｄから分岐して取付部２０のヒール側に沿って配置され、第１リブ５１の部分５１ｃ上の一の点に接続されている。部分５３ｆは、部分５３ｄから分岐して部分５３ｅと間隔を置いて配置され、第１リブ５１の部分５１ｃ上の他の点に接続されている。部分５３ｄ及び５３ｅは、取付部２０と間隔を置いて配置されており、取付部２０とは接触していない。
【００２９】
図４は、凹部４０及び外部リブ５０について説明する図であり、図４（ａ）は図１（ｂ）から取付部２０、取付部材３０、凹部４０、及び外部リブ５０のみを抜き出して図示したものである。また、図４（ｂ）は図４（ａ）のＡ−Ａ線に沿う部分拡大断面図である。
【００３０】
図１〜図４に示すように、ゴルフクラブヘッド１において、ソール側のヘッド外面には凹部４０が配置され、凹部４０には外部リブ５０が配置されている。より詳しくは、第１凹部４１には第１リブ５１が配置され、第２凹部４２には第２リブ５２が配置され、第３凹部４３には第３リブ５３が配置されている。
【００３１】
更に詳しくは、部分４１ａには部分５１ａが配置され、部分４１ｂには部分５１ｂが配置され、部分４１ｃには部分５１ｃが配置されている。また、部分４３ａには部分５３ａ、５３ｂ、及び５３ｃが配置され、部分４３ｂには部分５３ｄ、５３ｅ、及び５３ｆが配置されている。
【００３２】
外部リブ５０のトウ−ヒール方向の長さＬ１は、例えば、６０ｍｍ以上１２０ｍｍ以下である。外部リブ５０のフェース−バック方向の長さＬ２は、例えば、４０ｍｍ以上１１０ｍｍ以下である。
【００３３】
図４（ｂ）に示すように、第２凹部４２の短手方向の断面形状は、例えば、ヘッド外面側からヘッド内面側に向かって縮幅する略台形状である。第２凹部４２のヘッド外面側の幅Ｗ１は、例えば、１ｍｍ以上３０ｍｍ以下である。第２凹部４２のヘッド内面側の幅Ｗ２は、例えば、０．５ｍｍ以上３０ｍｍ以下である。第２凹部４２のヘッド外面からの深さＤは、例えば、１ｍｍ以上１０ｍｍ以下である。
【００３４】
第２リブ５２は、第２凹部４２の底面からヘッド外面側に向かって突起している。第２リブ５２の短手方向の断面形状は、例えば、ヘッド内面側からヘッド外面側に向かって縮幅する略台形状である。第２リブ５２のヘッド外面側の幅Ｗ３は、例えば、０．５ｍｍ以上２０ｍｍ以下である。第２リブ５２のヘッド内面側の幅Ｗ４は、例えば、０．５ｍｍ以上３０ｍｍ以下である。第２リブ５２の第２凹部４２の底面からの高さＨ（第２凹部４２の底面からの突起量）は、例えば、１ｍｍ以上１０ｍｍ以下である。なお、第２リブ５２のヘッド内面側の幅Ｗ４は、第２凹部４２のヘッド内面側の幅Ｗ２と等しくても構わない。
【００３５】
第２リブ５２の第２凹部４２の底面からの高さＨは、第２凹部４２のヘッド外面からの深さＤ以下とされている。つまり、第２リブ５２の先端部分が第２凹部４２から飛び出さないように、言い換えれば第２リブ５２の先端部分がヘッド外面から飛び出さないように設計されている。これにより、ゴルフクラブヘッド１をソールしたときに、安定したソールが可能となる。
【００３６】
なお、以上は、第２凹部４２及び第２リブ５２の断面形状について説明したが、第１凹部４１及び第１リブ５１、第３凹部４３及び第３リブ５３の断面形状についても第２凹部４２及び第２リブ５２の断面形状と同様である。
【００３７】
図５は、取付部２０及び取付部材３０について説明する断面図である。図５（ａ）は、取付部２０の一部を通るトウ−ヒール方向の断面を示しており、取付部材３０が取りついていない状態である。図５（ｂ）は、取付部２０及び取付部材３０の一部を通るフェース−バック方向の断面を示しており、取付部材３０が取りついている状態である。
【００３８】
図１及び図５に示す取付部材３０は着脱可能であって、必要に応じて必要なウエイトの取付部材３０を取り付けることができる。取付部材３０を用いたウエイト調整により、ゴルフクラブヘッド１の重心位置の調整が可能となる。
【００３９】
取付部材３０を取付部２０に取り付けた場合、取付部材３０の近傍が最も重くなるため、取付部材３０の近傍が最も大きく振動し、一次振動モードの腹の位置となる。ソール部１３の一次振動モードの腹の位置は、コンピュータによるモーダル解析や有限要素法（ＦＥＭ：Finite Element Method）での固有値解析により求めることができる。
【００４０】
この振動は、打音にとっては好ましくないため、取付部材３０の近傍の振動を抑えることが打音の向上に有効である。
【００４１】
そこで、ゴルフクラブヘッド１では、外部リブ５０を設け、外部リブ５０の第３リブ５３が取付部２０の周囲を少なくとも部分的に囲んでいる。これにより、取付部材３０の近傍の振動を効果的に抑えることが可能となり、打音を向上させることができる。
【００４２】
外部リブ５０の第１リブ５１及び第２リブ５２は、ソール部１３の一次振動モードの振動範囲を超えて伸びる部分を有することが好ましい。外部リブ５０が、一次振動モードの振動範囲を超えてトウ−ヒール方向へ伸びる部分を有する第１リブ５１と、一次振動モードの振動範囲を超えてフェース−バック方向へ伸びる部分を有する第２リブ５２とを含むことで、打撃時に発生するゴルフクラブヘッド１の振動をより効果的に抑えることが可能となり、打音を向上させることができる。
【００４３】
なお、本明細書において、『取付部の周囲を少なくとも部分的に囲む』とは、リブが取付部の周囲を完全に囲む形態と、リブが取付部の周囲を部分的に囲む形態とを含むものである。また、『取付部の周囲を部分的に囲む』とは、取付部の周囲に配置された１本または複数本のリブの隣接する端部同士を仮想的な直線で結んだときに作られる閉じた範囲内に取付部の中心が配置される形態を指すものとする。
【００４４】
〈第１の実施の形態の変形例〉
第１の実施の形態の変形例では、形状の異なる外部リブの例を示す。なお、第１の実施の形態の変形例において、既に説明した実施の形態と同一構成部についての説明は省略する場合がある。
【００４５】
（変形例１）
図６は、第１の実施の形態の変形例１に係るゴルフクラブヘッド２を例示する底面図である。図６に示すように、ゴルフクラブヘッド２では、外部リブ５０の第１リブ５１、第２リブ５２、及び第３リブ５３が、各々外部リブ６０の第１リブ６１、第２リブ６２、及び第３リブ６３に置換された点が、ゴルフクラブヘッド１（図１（ｂ）等参照）と相違する。
【００４６】
第１リブ６１は、第１リブ５１と同様にトウ−ヒール方向へ伸びているが、第１リブ５１とは異なりＡ部には設けられていない。第１リブ６１の他の点については、第１リブ５１と同様である。なお、Ａ部は、図３の部分５１ａに相当する。
【００４７】
第２リブ６２は、便宜上第２リブ５２と別符号としているが、第２リブ５２と全く同様である。
【００４８】
第３リブ６３は、第３リブ５３と同様に取付部の周囲を少なくとも部分的に囲むが、第３リブ５３とは異なりＢ部及びＣ部には設けられていない。第３リブ６３の他の点については、第３リブ５３と同様である。なお、Ｂ部は、図３の部分５３ｂに相当する。また、Ｃ部は、図３の部分５３ｅに相当する。
【００４９】
ゴルフクラブヘッド２では、第３リブ６３がＢ部やＣ部に設けられていないが、第３リブ６３が取付部２０の周囲を少なくとも部分的に囲む点はゴルフクラブヘッド１と同様である。ゴルフクラブヘッド１と同様に、取付部材３０の近傍の振動を効果的に抑えることが可能となり、打音を向上させることができる。
【００５０】
また、ゴルフクラブヘッド２では、第１リブ６１がＡ部に設けられていないが、第１リブ６１が一次振動モードの振動範囲を超えてトウ−ヒール方向へ伸びる点はゴルフクラブヘッド１と同様である。また、ゴルフクラブヘッド２では、ゴルフクラブヘッド１と同様に、一次振動モードの振動範囲を超えてフェース−バック方向へ伸びる第２リブ６２が設けられている。そのため、ゴルフクラブヘッド１と同様に、打撃時に発生するゴルフクラブヘッド２の振動をより効果的に抑えることが可能となり、打音を向上させることができる。
【００５１】
（変形例２）
図７は、第１の実施の形態の変形例２に係るゴルフクラブヘッド３を例示する底面図である。図７に示すように、ゴルフクラブヘッド３では、外部リブ５０の第１リブ５１、第２リブ５２、及び第３リブ５３が、各々外部リブ７０の第１リブ７１、第２リブ７２、及び第３リブ７３に置換された点が、ゴルフクラブヘッド１（図１（ｂ）等参照）と相違する。
【００５２】
第１リブ７１は、第１リブ５１と同様にトウ−ヒール方向へ伸びているが、第１リブ５１とは異なりＤ部及びＥ部には設けられていない。第１リブ７１の他の点については、第１リブ５１と同様である。なお、Ｄ部は、図３の部分５１ａのトウ側であって、部分５１ｂと部分５３ｃの接続点よりヒール側の部分に相当する。また、Ｅ部は、図３の部分５１ａのヒール側であって、部分５１ｃと部分５３ｆの接続点よりトウ側の部分に相当する。
【００５３】
第２リブ７２は、便宜上第２リブ５２と別符号としているが、第２リブ５２と全く同様である。
【００５４】
第３リブ７３は、第３リブ５３と同様に取付部の周囲を少なくとも部分的に囲むが、第３リブ５３とは異なりＢ部及びＣ部には設けられていない。第３リブ７３の他の点については、第３リブ５３と同様である。なお、Ｂ部は、図３の部分５３ｂに相当する部分である。また、Ｃ部は、図３の部分５３ｅに相当する部分である。
【００５５】
ゴルフクラブヘッド３では、第３リブ７３がＢ部やＣ部に設けられていないが、第３リブ７３が取付部２０の周囲を少なくとも部分的に囲む点はゴルフクラブヘッド１と同様である。ゴルフクラブヘッド１と同様に、取付部材３０の近傍の振動を効果的に抑えることが可能となり、打音を向上させることができる。
【００５６】
また、ゴルフクラブヘッド３では、第１リブ７１がＤ部及びＥ部に設けられていないが、第１リブ７１が一次振動モードの振動範囲を超えてトウ−ヒール方向へ伸びる点はゴルフクラブヘッド１と同様である。また、ゴルフクラブヘッド３では、ゴルフクラブヘッド１と同様に、一次振動モードの振動範囲を超えてフェース−バック方向へ伸びる第２リブ７２が設けられている。そのため、ゴルフクラブヘッド１と同様に、打撃時に発生するゴルフクラブヘッド３の振動をより効果的に抑えることが可能となり、打音を向上させることができる。
【００５７】
（変形例３）
図８は、第１の実施の形態の変形例３に係るゴルフクラブヘッド４を例示する底面図である。図８に示すように、ゴルフクラブヘッド４では、外部リブ５０の第１リブ５１、第２リブ５２、及び第３リブ５３が、各々外部リブ８０の第１リブ８１、第２リブ８２、及び第３リブ８３に置換された点が、ゴルフクラブヘッド１（図１（ｂ）等参照）と相違する。
【００５８】
第１リブ８１は、第１リブ５１と同様にトウ−ヒール方向へ伸びているが、第１リブ５１とは異なり第３リブ８３よりトウ側及びヒール側において、間隔を置いて２本並置されている。第１リブ８１の他の点については、第１リブ５１と同様である。
【００５９】
第２リブ８２は、第２リブ５２と同様にフェース−バック方向へ伸びているが、第２リブ５２とは異なり第３リブ８３よりバック側において、間隔を置いて２本並置されている。第２リブ８２の他の点については、第２リブ５２と同様である。
【００６０】
第３リブ８３は、便宜上第３リブ５３と別符号としているが、第３リブ５３と全く同様である。
【００６１】
ゴルフクラブヘッド４では、第３リブ８３が取付部２０の周囲を少なくとも部分的に囲む点はゴルフクラブヘッド１と同様である。ゴルフクラブヘッド１と同様に、取付部材３０の近傍の振動を効果的に抑えることが可能となり、打音を向上させることができる。
【００６２】
また、ゴルフクラブヘッド４では、一次振動モードの振動範囲を超えてトウ−ヒール方向へ伸びる第１リブ８１の一部は間隔を置いて２本並置されている。また、一次振動モードの振動範囲を超えてフェース−バック方向へ伸びる第２リブ８２の一部は間隔を置いて２本並置されている。そのため、ゴルフクラブヘッド１に比べて、ソール部１３の剛性を更に高くし、打撃性能を更に向上させることができる。また、打撃時に発生するゴルフクラブヘッド４の振動を更に効果的に抑えることが可能となり、打音を向上させることができる。
【００６３】
なお、並置する第１リブ８１の本数は３本以上であっても構わない。同様に、並置する第２リブ８２の本数は３本以上であっても構わない。また、第３リブ８３の一部または全部を２本以上並置しても構わない。
【００６４】
以上、好ましい実施の形態について詳説したが、上述した実施の形態に制限されることはなく、特許請求の範囲に記載された範囲を逸脱することなく、上述した実施の形態に種々の変形及び置換を加えることができる。
【００６５】
例えば、第１の実施の形態及び各変形例において、第２リブが、フェース−バック方向に対し、トウ側またはヒール側へ傾斜していても構わない。また、第１リブが、トウ−ヒール方向に対し、フェース側またはバック側へ傾斜していても構わない。
【００６６】
また、第１の実施の形態及び各変形例において、第１リブ、第２リブ、及び第３リブに更に追加のリブを設けても構わない。追加のリブとしては、例えば、第３リブからバック側かつトウ側へ伸びるリブ、第３リブからバック側かつヒール側へ伸びるリブ、第３リブからフェース側かつトウ側へ伸びるリブ、第３リブからフェース側かつヒール側へ伸びるリブ等が挙げられる。これらの２つ以上を組み合わせても構わない。
【符号の説明】
【００６７】
１、２、３、４  ゴルフクラブヘッド
１１  フェース部
１１ｆ  フェース面
１２  クラウン部
１３  ソール部
１４  サイド部
１５  ホゼル部
２０  取付部
３０  取付部材
４０  凹部
４１  第１凹部
４１ａ〜４１ｃ、４３ａ、４３ｂ、５１ａ〜５１ｃ、５３ａ〜５３ｆ  部分
４２  第２凹部
４３  第３凹部
５０、６０、７０、８０  外部リブ
５１、６１、７１、８１  第１リブ
５２、６２、７２、８２  第２リブ
５３、６３、７３、８３  第３リブ
【図１】
2019084078.tif 000003
【図２】
2019084078.tif 000004
【図３】
2019084078.tif 000005
【図４】
2019084078.tif 000006
【図５】
2019084078.tif 000007
【図６】
2019084078.tif 000008
【図７】
2019084078.tif 000009
【図８】
2019084078.tif 000010